(57)【要約】【課題】  携帯端末の簡単な操作のみで、即座に暗記学習をすることができ、しかも、システム管理が容易で低コストな学習支援システムを提供すること。【解決手段】  受講者に習得させる単語情報とその意味情報が受講講座毎に記録された学習情報データベースを有した暗記学習サーバー３と、前記暗記学習サーバー３と接続され個人情報データベースを有した受講者管理システム２と、携帯電話からなる携帯端末１とを有し、前記暗記学習サーバー３は、正当な受講者に対して受講者の現在受講している講座を選択可能に表示させ、携帯端末１から選択されて送信された選択受講講座に基づいて学習情報データベースから該当する学習情報を参照し、携帯端末１に、選択された前記受講講座における単語情報を表示する。【選択図】        図１
2005148167.tif 000002
【特許請求の範囲】
【請求項１】
受講者に習得させる単語情報とその意味情報が受講講座毎に記録された学習情報データベースを有した暗記学習サーバーと、
受講者毎に割り付けられた個人コードと該個人コード毎に対応づけられた受講講座情報や学習進捗情報、成績情報等の個人情報とが格納された個人情報データベースを有し、前記暗記学習サーバーと接続された受講者管理システムと、
ネットワークを介して前記暗記学習サーバーと双方向データ通信可能に構成され前記単語情報とその意味情報を表示する表示手段を有した携帯端末と、を有してなり、
前記暗記学習サーバーは、
前記携帯端末から送信された少なくとも前記個人コードに基づいて前記受講者管理システムに正当な受講者であるか否かを確認する受講者確認手段と、 
前記受講者確認手段で正当な受講者であると確認された場合に、その受講者の受講講座情報を前記携帯端末に送信して、その受講者の現在受講している講座を選択可能に表示させる講座情報送信手段と、
前記携帯端末から選択されて送信された選択受講講座に基づいて、前記学習情報データベースから該当する学習情報を参照し、前記携帯端末に、選択された前記受講講座における前記単語情報を表示させると同時に、その単語情報の意味と、次候補および前候補の前記単語情報とを表示可能に表示させる単語表示手段と、
を有してなることを特徴とする暗記学習支援システム。
【請求項２】
前記単語表示手段は、前記携帯端末に表示されている単語情報に対して習得済み情報をも入力可能に表示させると共に、
前記暗記学習サーバーは、前記個人コード毎に対応づけられ前記携帯端末からの前記習得済み情報を記録する習得済み記録手段を有し、前記学習情報データベースから、選択された受講講座の学習情報と前記習得済み記録手段で記録された前記習得済み情報とに基づいて、習得済みの単語情報のみをスキップさせて前記携帯端末に表示させないようにする習得済み非表示手段を
有していることを特徴とする請求項１記載の暗記学習支援システム。
【請求項３】
前記暗記学習サーバーは、前記受講者管理システム内の前記個人情報データベースに格納されている学習進捗情報に前記習得済み情報をも記録させる記録手段を有し、前記受講者の学習進捗が一元管理可能に構成されていることを特徴とする請求項２記載の暗記学習支援システム。
【請求項４】
前記暗記学習サーバーは、前記学習情報データベースに記録された前記単語情報とその意味情報とを適宜データ更新させるデータ更新入力手段を有していることを特徴とする請求項１〜３の何れか１項に記載の暗記学習支援システム。
【請求項５】
前記単語表示手段は、前記携帯端末に表示されている単語情報およびその意味情報に対して自己専用の暗記帳に登録するか否かをも入力可能に表示させると共に前記暗記帳に登録させた前記単語情報およびその意味情報を表示させるかを決定可能に表示させ、
前記暗記学習サーバーは、前記携帯端末から前記暗記帳に登録する旨の情報に基づいて、その際に表示している前記単語情報とその意味情報に対応づけたフラグを前記受講者毎に格納すると共に、前記携帯端末からの前記暗記帳に登録させた前記単語情報を表示させる旨の情報を受信した際に前記フラグに基づいて前記学習情報データベースから選択的に前記単語情報およびその意味情報を表示させることを特徴とする請求項１〜４の何れか１項に記載の暗記学習支援システム。
【請求項６】
受講者に習得させる単語情報とその意味情報が受講講座毎に記録された学習情報データベースを有した暗記学習サーバーと、
受講者毎に割り付けられた個人コードと該個人コード毎に対応づけられた受講講座情報や学習進捗情報、成績情報等の個人情報とが格納された個人情報データベースを有し、前記暗記学習サーバーと接続された受講者管理システムと、
ネットワークを介して前記暗記学習サーバーと双方向データ通信可能に構成され前記単語情報とその意味情報を表示する表示手段を有した携帯端末と、
を有して構築された暗記学習支援システムの前記暗記学習サーバーに用いられる制御プログラムであって、
前記携帯端末から送信された少なくとも前記個人コードに基づいて前記受講者管理システムに正当な受講者であるか否かを確認する受講者確認手段と、 
前記受講者確認手段で正当な受講者であると確認された場合に、その受講者の受講講座情報を前記携帯端末に送信して、その受講者の現在受講している講座を選択可能に表示させる講座情報送信手段と、
前記携帯端末から選択されて送信された選択受講講座に基づいて、前記学習情報データベースから該当する学習情報を参照し、前記携帯端末に、選択された前記受講講座における前記単語情報を表示させると同時に、その単語情報の意味と、次候補および前候補の前記単語情報とを表示可能に表示させる単語表示手段と、
を有し、前記暗記学習サーバーを、前記受講者確認手段、前記講座情報送信手段、前記単語表示手段、として機能させることを特徴とする制御プログラム。
【請求項７】
前記単語表示手段は、前記携帯端末に表示されている単語情報に対して習得済み情報をも入力可能に表示させるステップを有し、
前記暗記学習サーバーは、前記個人コード毎に対応づけられ前記携帯端末からの前記習得済み情報を記録する習得済み記録手段を有すると共に、
前記学習情報データベースから、選択された受講講座の学習情報と前記習得済み記録手段で記録された前記習得済み情報とに基づいて、習得済みの単語情報のみをスキップさせて前記携帯端末に表示させないようにする習得済み非表示手段を有し、
前記暗記学習サーバーを、前記習得済み記録手段、前記習得済み非表示手段として機能させることを特徴とする請求項６に記載の制御プログラム。
【請求項８】
前記暗記学習サーバーは、前記受講者管理システム内の前記個人情報データベースに格納されている学習進捗情報に前記習得済み情報をも記録させる記録手段を有し、前記暗記学習サーバーを、前記記録手段として機能させ、前記受講者の学習進捗が一元管理可能に構成されていることを特徴とする請求項７記載の制御プログラム。
【請求項９】
前記暗記学習サーバーは、前記学習情報データベースに記録された前記単語情報とその意味情報とを適宜データ更新させるデータ更新入力手段を有し、前記暗記学習サーバーを、前記データ更新入力手段として機能させることを特徴とする請求項６〜８の何れか１項に記載の制御プログラム。
【請求項１０】
前記単語表示手段は、前記携帯端末に表示されている単語情報およびその意味情報に対して自己専用の暗記帳に登録するか否かをも入力可能に表示させるステップと前記暗記帳に登録させた前記単語情報およびその意味情報を表示させるかを決定可能に表示させるステップを有し、
前記暗記学習サーバーは、前記携帯端末から前記暗記帳に登録する旨の情報に基づいて、その際に表示している前記単語情報とその意味情報に対応づけたフラグを前記受講者毎に格納するステップと、前記携帯端末からの前記暗記帳に登録させた前記単語情報を表示させる旨の情報を受信した際に前記フラグに基づいて前記学習情報データベースから選択的に前記単語情報およびその意味情報を表示させるステップとを有したことを特徴とする請求項６〜９の何れか１項に記載の制御プログラム。
【発明の詳細な説明】
【技術分野】
【０００１】
本発明は、携帯電話やＰＤＡ等の容易に持ち運びができる携帯端末を用いた暗記学習を行う暗記学習支援システム及び制御プログラムに関する。
【背景技術】
【０００２】
暗記学習をするにあたって、従来、複数枚のカード用紙からなる暗記カードが一般的であったが、昨今、急速なインターネットの普及と携帯電話の普及により、この両者を利用した学習支援システムが提案されている。
【０００３】
たとえば、Ｗｅｂサーバは、学習者の移動体端末からネットワークを介した学習要求、学習希望内容およびユーザＩＤを伴うアクセスに応答し、教科書・学習教材データベース又は独自登録型学習教材データベースから教科書・学習教材内容又は独自登録型学習内容を読み出し、個人用学習習得データベースから学習者のユーザＩＤに対応する学習習得データを読み出し、この学習習得データを参照しながら学習希望内容に対応する学習用コンテンツを教科書・学習教材内容又は独自登録型学習内容から生成し、該学習用コンテンツを移動体端末に送信し、移動体端末において該学習用コンテンツを画面に表示し、この学習用コンテンツに基づき学習を行う、とした学習支援システムがある（例えば、特許文献１参照）。
【０００４】
【特許文献１】特開２００３−２５５８１１（第１頁、図１）
【発明の開示】
【発明が解決しようとする課題】
【０００５】
この上記した従来の学習支援システムは、個人毎の学習希望内容に対応する学習用コンテンツを教科書又は学習教材の内容から生成して、個人に提供するとしたもので、個人学習に極めて特化した構成となっている。
【０００６】
ところで、学習の目的として様々な態様があるが、なかでも、建築士や宅地建物取引主任者等の専門資格取得のための学習は、極めて多くの専門用語を憶える必要がある。当然のことながら「単語」として専門用語のみを憶えるのではなく、その意味合いを正確に憶えていかなければならない。
【０００７】
上記したような建築士や宅地建物取引主任者等の専門資格取得のための学習に適したシステムは、単純に専門用語の字句と意味を暗記する側面のほかに、極めて多くの専門用語を網羅した辞書的な側面も兼ね備えなければならない。
【０００８】
仮に、従来の学習支援システムを適用したとしても、個人個人の学習に対して特化した構成であるために、管理するシステムが複雑となり高コストになる。
また、携帯端末を操作する側においても、学習要求、学習希望内容等の個々が欲する情報を送信するために、操作手順が煩雑になるものと思われる。
【０００９】
そこで本発明は、建築士や宅地建物取引主任者等の専門資格取得のための学習に特化させて、携帯端末の操作側において、簡単な操作のみで即座に学習することができ、しかも、システム管理が容易で低コストな学習支援システムとその制御プログラムを提供することを目的とする。
【課題を解決するための手段】
【００１０】
上記技術的課題を達成するために、本発明にかかる暗記学習支援システム及び制御プログラムは、下記の技術的手段を講じた。
すなわち、請求項１にかかる暗記学習支援システムは、受講者に習得させる単語情報とその意味情報が受講講座毎に記録された学習情報データベースを有した暗記学習サーバーと、受講者毎に割り付けられた個人コードと該個人コード毎に対応づけられた受講講座情報や学習進捗情報、成績情報等の個人情報とが格納された個人情報データベースを有し、前記暗記学習サーバーと接続された受講者管理システムと、ネットワークを介して前記暗記学習サーバーと双方向データ通信可能に構成され前記単語情報とその意味情報を表示する表示手段を有した携帯端末と、を有してなり、前記暗記学習サーバーは、前記携帯端末から送信された少なくとも前記個人コードに基づいて前記受講者管理システムに正当な受講者であるか否かを確認する受講者確認手段と、前記受講者確認手段で正当な受講者であると確認された場合に、その受講者の受講講座情報を前記携帯端末に送信して、その受講者の現在受講している講座を選択可能に表示させる講座情報送信手段と、前記携帯端末から選択されて送信された選択受講講座に基づいて、前記学習情報データベースから該当する学習情報を参照し、前記携帯端末に、選択された前記受講講座における前記単語情報を表示させると同時に、その単語情報の意味と、次候補および前候補の前記単語情報とを表示可能に表示させる単語表示手段と、を有してなることを特徴とする。
請求項２にかかる暗記学習支援システムは、請求項１において、前記単語表示手段は、前記携帯端末に表示されている単語情報に対して習得済み情報をも入力可能に表示させると共に、前記暗記学習サーバーは、前記個人コード毎に対応づけられ前記携帯端末からの前記習得済み情報を記録する習得済み記録手段を有し、前記学習情報データベースから、選択された受講講座の学習情報と前記習得済み記録手段で記録された前記習得済み情報とに基づいて、習得済みの単語情報のみをスキップさせて前記携帯端末に表示させないようにする習得済み非表示手段を有していることを特徴とする。
請求項３にかかる暗記学習支援システムは、請求項２において、前記暗記学習サーバーは、前記受講者管理システム内の前記個人情報データベースに格納されている学習進捗情報に前記習得済み情報をも記録させる記録手段を有し、前記受講者の学習進捗が一元管理可能に構成されていることを特徴とする。
請求項４にかかる暗記学習支援システムは、請求項１〜３の何れか１項において、前記暗記学習サーバーは、前記学習情報データベースに記録された前記単語情報とその意味情報とを適宜データ更新させるデータ更新入力手段を有していることを特徴とする。
請求項５にかかる暗記学習支援システムは、請求項１〜４の何れか１項において、前記単語表示手段は、前記携帯端末に表示されている単語情報およびその意味情報に対して自己専用の暗記帳に登録するか否かをも入力可能に表示させると共に前記暗記帳に登録させた前記単語情報およびその意味情報を表示させるかを決定可能に表示させ、前記暗記学習サーバーは、前記携帯端末から前記暗記帳に登録する旨の情報に基づいて、その際に表示している前記単語情報とその意味情報に対応づけたフラグを前記受講者毎に格納すると共に、前記携帯端末からの前記暗記帳に登録させた前記単語情報を表示させる旨の情報を受信した際に前記フラグに基づいて前記学習情報データベースから選択的に前記単語情報およびその意味情報を表示させることを特徴とする。
請求項６にかかる制御プログラムは、受講者に習得させる単語情報とその意味情報が受講講座毎に記録された学習情報データベースを有した暗記学習サーバーと、受講者毎に割り付けられた個人コードと該個人コード毎に対応づけられた受講講座情報や学習進捗情報、成績情報等の個人情報とが格納された個人情報データベースを有し、前記暗記学習サーバーと接続された受講者管理システムと、ネットワークを介して前記暗記学習サーバーと双方向データ通信可能に構成され前記単語情報とその意味情報を表示する表示手段を有した携帯端末と、を有して構築された暗記学習支援システムの前記暗記学習サーバーに用いられる制御プログラムであって、前記携帯端末から送信された少なくとも前記個人コードに基づいて前記受講者管理システムに正当な受講者であるか否かを確認する受講者確認手段と、前記受講者確認手段で正当な受講者であると確認された場合に、その受講者の受講講座情報を前記携帯端末に送信して、その受講者の現在受講している講座を選択可能に表示させる講座情報送信手段と、前記携帯端末から選択されて送信された選択受講講座に基づいて、前記学習情報データベースから該当する学習情報を参照し、前記携帯端末に、選択された前記受講講座における前記単語情報を表示させると同時に、その単語情報の意味と、次候補および前候補の前記単語情報とを表示可能に表示させる単語表示手段と、を有し、前記暗記学習サーバーを、前記受講者確認手段、前記講座情報送信手段、前記単語表示手段、として機能させることを特徴とする。
請求項７にかかる制御プログラムは、請求項６において、前記単語表示手段は、前記携帯端末に表示されている単語情報に対して習得済み情報をも入力可能に表示させるステップを有し、前記暗記学習サーバーは、前記個人コード毎に対応づけられ前記携帯端末からの前記習得済み情報を記録する習得済み記録手段を有すると共に、前記学習情報データベースから、選択された受講講座の学習情報と前記習得済み記録手段で記録された前記習得済み情報とに基づいて、習得済みの単語情報のみをスキップさせて前記携帯端末に表示させないようにする習得済み非表示手段を有し、前記暗記学習サーバーを、前記習得済み記録手段、前記習得済み非表示手段として機能させることを特徴とする。
請求項８にかかる制御プログラムは、請求項７において、前記暗記学習サーバーは、前記受講者管理システム内の前記個人情報データベースに格納されている学習進捗情報に前記習得済み情報をも記録させる記録手段を有し、前記暗記学習サーバーを、前記記録手段として機能させ、前記受講者の学習進捗が一元管理可能に構成されていることを特徴とする。
請求項９にかかる制御プログラムは、請求項６〜８の何れか１項において、前記暗記学習サーバーは、前記学習情報データベースに記録された前記単語情報とその意味情報とを適宜データ更新させるデータ更新入力手段を有し、前記暗記学習サーバーを、前記データ更新入力手段として機能させることを特徴とする。
請求項１０にかかる制御プログラムは、請求項６〜９の何れか１項において、前記単語表示手段は、前記携帯端末に表示されている単語情報およびその意味情報に対して自己専用の暗記帳に登録するか否かをも入力可能に表示させるステップと前記暗記帳に登録させた前記単語情報およびその意味情報を表示させるかを決定可能に表示させるステップを有し、前記暗記学習サーバーは、前記携帯端末から前記暗記帳に登録する旨の情報に基づいて、その際に表示している前記単語情報とその意味情報に対応づけたフラグを前記受講者毎に格納するステップと、前記携帯端末からの前記暗記帳に登録させた前記単語情報を表示させる旨の情報を受信した際に前記フラグに基づいて前記学習情報データベースから選択的に前記単語情報およびその意味情報を表示させるステップとを有したことを特徴とする。
【発明の効果】
【００１１】
本発明にかかる暗記学習支援システム及び制御プログラムは、建築士や宅地建物取引主任者等の専門資格取得のための学習に特化させたことにより、携帯端末の操作側において、簡単な操作のみで即座に暗記学習や辞書として利用することができ、しかも、システム管理が容易なことから、低コストに学習支援システムを提供することができる。
【発明を実施するための最良の形態】
【００１２】
次に本実施の形態にかかる暗記学習支援システムについて説明する。
【００１３】
本実施の形態にかかる暗記学習支援システムは、図１のシステム概略図に示すように、携帯端末１と、暗記学習サーバー３とが、基地局（図示せず）と通信網４を介して双方向通信可能に接続されると共に、その暗記学習サーバー３と受講者管理システム２とがＬＡＮで双方向通信可能に接続されて構築されている。
【００１４】
携帯端末１は、電子メール機能とウェブサイトを閲覧可能なインターネット接続機能とを有した携帯電話からなる。
【００１５】
受講者管理システム２は、建築士講座や宅地建物取引主任者講座等の各種講座における受講者毎に割り付けられた個人コード（例えば学籍番号）と、その個人コード毎に対応づけられた受講講座情報（受講している講座名）や、その個人の学習進捗情報、成績情報等の個人情報とが格納された個人情報データベースを有したコンピュータシステムであり、上記した暗記学習サーバー３にＬＡＮで接続されている。
【００１６】
暗記学習サーバー３は、学習情報データベースと、所要の制御プログラム等が記録されており、上記した通信網４に接続されている。
【００１７】
学習情報データベースは、建築士講座や宅地建物取引主任者講座等の受講者に習得させる単語情報と、その個々の暗記情報に対応した意味情報が受講講座毎に対応づけられて構築されている。
【００１８】
なお、この単語情報とは、例えば受講講座が建築士講座である場合、その建築士に関して学習する必要のある専門用語、たとえば「海崖」等の専門用語であり、一方、意味情報とは、その「海崖」の意味である「海に臨んだ急斜面」である。
【００１９】
上記した所要の制御プログラムとは、受講者確認手段と、講座情報送信手段と、単語表示手段と、習得済み記録手段と、習得済み非表示手段と、記録手段と、データ更新入力手段とを有し、携帯端末１からのアクセスによって学習情報データベースと受講者管理システム２と連係して、携帯端末１に暗記学習サイトとして表示させるように構築されている。
【００２０】
受講者確認手段は、携帯端末１に個人コードとパスワードとを入力可能に表示させ、その携帯端末１からの送信情報、すなわち、個人コードと、パスワードとを、いったん受け付け、その送信情報を受講者管理システムに対して認証要求を行って、現在、正当な受講者であるか否かを確認するようになっている。
【００２１】
講座情報送信手段は、受講者確認手段で正当な受講者であると確認された場合に、その受講者の受講講座情報を携帯端末１に送信して、その受講者の現在受講している講座を携帯端末１に選択可能に表示させるようになっている。なお、正当な受講者ではない場合は、携帯端末にエラー表示させて処理が終了するようになっている。
【００２２】
すなわち、建築士講座や宅地建物取引主任者講座等のいくつかの講座に対し、受講者は必ずしも一つの資格講座のみ受講しているとは限らず、複数の講座を受講している場合が往々にしてある。例えば、建築士講座と宅地建物取引主任者講座の両方の講座を受講している場合、その両者を携帯端末１に選択可能に表示させる。なお、当然のことながら、一つの資格講座しか受講していない場合は、受講している一つの講座のみ（決定可能に）表示される。
【００２３】
単語表示手段は、上記した講座情報送信手段によって携帯端末１に選択可能に表示された講座に対して、受講者が暗記学習をしたい講座を適宜選択することによって、携帯端末１からその情報が送信され、その情報に基づいて、学習情報データベースから該当する学習情報を参照して、携帯端末１に、選択された受講講座における単語情報を表示させると同時に、その単語情報の意味と次候補および前候補の前記単語情報とを選択決定することによって表示可能に表示させる。
【００２４】
また、これと同時に、携帯端末１に現在表示されている単語情報に対して、習得済み情報をも入力可能に表示させており、習得済み（表示させないようにする）の場合、選択決定操作を行うことにより、直ちに、暗記学習サーバー３に、その情報が送信されるようになっている。
さらに、この単語表示手段は、携帯端末に現在表示されている単語情報およびその意味情報に対して、自己専用の暗記帳（以下、「Ｍｙ単語帳」という）に登録するか否かをも入力可能に表示させると共に、このＭｙ単語帳に登録させた単語情報およびその意味情報を表示さるかを決定可能に表示させるようになっている。
【００２５】
習得済み記録手段は、携帯端末１を操作している受講者が、上記したように、携帯端末１に現在表示されている単語情報に対して、習得済みの決定操作を行うことにより送信された習得済み情報を暗記学習サーバー３内または受講者管理システム２内の記録媒体に記録するようになっている。
【００２６】
習得済み非表示手段は、選択された受講講座の学習情報を閲覧表示させる際に、習得済み記録手段で記録された習得済み情報（フラグである）が記録されていないかをチェックし、仮に、当該単語情報は習得済みの情報が付与されていた場合は、現在表示している単語情報の次の単語情報を表示させる「次候補」を決定入力しても、本来表示させるべきの単語情報を飛び越して、その次の単語情報を携帯端末１に表示させるようになっている。すなわち、習得済み情報が付与された単語情報は携帯端末１に表示させないように構成されている。
【００２７】
記録手段は、受講者管理システム内の個人情報データベースに格納されている学習進捗情報に、上記した習得済み情報を講座に対応づけて記録するようになっている。このようにすることで、受講者の学習が現在どのくらい進んでいるか（暗記したか）が、管理者側において容易に把握できるようになっている。すなわち、受講者の学習進捗が、受講者管理システムで一元管理できるようになっている。
【００２８】
データ更新入力手段は、学習情報データベースに記録された前記単語情報とその意味情報、各受講者のパスワード等を適宜データ更新・編集させるための入力画面を、暗記学習サーバー３と接続されたモニタ（図示せず）に表示させ、管理側の入力操作によって、暗記学習サーバー３内の学習情報データベースに登録（記録）したり編集できるようになっている。また、このデータ更新入力手段は、既に登録されている単語情報は意味情報のデータ削除も可能に構成されている。
【００２９】
データ更新・編集させるための入力画面は、以下のようになっている
（１）. 各画面の呼び出しするメニュー画面。
（２）. 単語情報、その意味、分類分野などを登録したり、またこれと同時に資格系統によって単語リンクを作成したり、後述するＭｙ単語帳の暗記状態区分を更新する単語登録画面。
（３）. 後述する単語帳とその名前を登録したり、資格系統も登録する単語帳登録画面。（４）. 単語帳に入れる単語を登録する単語リンク登録画面。
（５）. 単語帳を使用するコースとその年度を登録する単語帳使用コース登録画面。
（６）. 各個人のパスワードをメンテナンスするパスワードメンテナンス画面。
（７）. 各受講者の単語帳をメンテナンスする個人単語帳メンテナンス画面
（８）. 単語帳を利用できるコースに、初めて入学・転入した受講者の単語帳を新規に作成したり、単語帳を利用できないコースに転出した受講者の単語帳を使用不可に設定したり、さらに、単語情報が削除された単語リンクを削除したり、単語リンクが削除のＭｙ単語帳の単語を削除する個人単語帳作成バッチ画面。
（９）. 単語の科目を登録する科目登録画面。
（１０）. 単語の科目を登録する分野登録画面。
（１１）. 単語帳で使用する科目を登録する単語帳科目登録画面。
【００３０】
次に、以上のように構成された本実施の形態にかかる暗記学習支援システムにおける携帯端末側の一連の操作を、添付図面を参照しながら詳細に説明する。なお、携帯端末側での本システムの表示を「単語帳」と呼称する。
【００３１】
まず、所定のＵＲＬにアクセスすると、図２に例示したパスワード入力画面が表示される。ここでは、個人コード（ユーザＩＤ）とパスワードを入力する。入力が完了して「ＯＫ」を押すことで、個人コード（ユーザＩＤ）とパスワードにより、受講者管理システム２の入卒学履歴に在籍しているかをチェックする。仮に在籍していない場合、エラー画面が表示され（図３参照）、在籍していた場合は「単語帳ＴＯＰ画面」が表示される（図４参照）。なお、ここで、最下段の「終了」を押すと、単語帳が終了する。
【００３２】
エラー画面は、図３に示すように、エラーメッセージ「ユーザＩＤまたはパスワードが違います。」が表示され、「ＯＫ」を押すことで、「パスワード入力画面」へ戻る。
なお。各種エラーはこの画面が用いられ、その場合、基本的に「ＯＫ」を押すことで呼び出しもとの画面へ戻るようになっている。
【００３３】
単語帳ＴＯＰ画面は、図４に示したように、自分の利用できる単語帳を選択でき、押すと「用語画面」が表示される。「設定」を押すと「設定メニュー画面」が表示され、「終了」を押すと、単語帳が終了する。
【００３４】
設定メニュー画面は、図５に示すように「パスワード変更」「単語帳設定」「学習進捗確認」「戻る」のそれぞれが選択可能に表示される。ここで、「パスワード変更」を押すと、パスワードの変更画面が表示され、「単語帳設定」を押すと、設定をする単語帳が表示され、さらに、「学習進捗確認」を押すと、進捗を確認する単語帳が表示されるようになっている。「戻る」を押すと、「単語帳ＴＯＰ画面」へ戻る。
【００３５】
パスワード変更画面は、図６に示すように、旧パスワード、新パスワード、新パスワード確認のそれぞれが入力可能になっており、それぞれを入力し終えたら、「ＯＫ」を押すことにより、暗記学習サーバー３へ情報が送信されて暗記学習パスワードが書き換えられて「設定メニュー画面」へ戻る。また、書き換えを行わない場合は、「戻る」を押すことにより「設定メニュー画面」へ戻る。
【００３６】
単語帳設定画面は、図７に示すように、１級建築士や宅建等の設定を希望する単語帳を押すと設定画面が表示され、「戻る」を押すと、「設定メニュー画面」へ戻る。
仮に、「１級建築士」を押した場合、図８のような画面が表示される。
【００３７】
タイトル：設定をする単語帳名が表示される。
Ｍｙ単語絞込み：Ｍｙ単語で登録したＩＤを入力し、有効にチェックをつけると、ＩＤに入力した単語情報のみが抽出できる。
表示するカード：表示するカードの暗記状態が選択できる。デフォルトで未読と、学習にチェックがついている。
【００３８】
表示の順序：表示するカードの順序が選択できる。デフォルトで五十音順にチェックがついている。
表示条件：逆引き・・・普段は最初に単語情報が表示されるが、ここをチェックすることで、意味情報が最初に表示される。
意味のみ表示・・・意味情報のみ表示させる。
【００３９】
重要度：表示をする重要度を指定する。デフォルトで全てにチェックがついている。
科目選択：表示をする科目を選択する。デフォルトで全てにチェックがついている。なお、この科目名は、各単語帳によって表示内容は異なる。
終了設定：終了・・・始めからカードが表示される。
保存＆終了・・・表示を開始するカード番号を記録させる。デフォルトで保存＆終了にチェックがついている。
ＯＫ：設定をする単語帳の表示画面へ戻る。
戻る：単語帳の表示画面へ戻る。
【００４０】
学習進捗確認画面は、図９に示すように、１級建築士や宅建等の現在受講している講座に関して学習の進捗を確認したい場合、その講座名を押すと、学習の進捗が表示される（図１０参照）。「戻る」を押すと、「設定メニュー画面」へ戻る。
【００４１】
タイトル：確認をしている単語帳名が表示される。
未読：まだ、参照していない未読用語数が表示される。なお、後から追加された用語や、参照済みで訂正があった用語は未読に含まれる。
学習：参照済みで、暗記学習中の用語数が表示される。
暗記：参照済みで、暗記し終わった用語数が表示される。
合計：単語帳全体の用語数が表示される。
戻る：進捗を確認する単語帳の表示画面へ戻る。
【００４２】
用語／意味画面（順引き：図１１参照、逆引き：図１２参照）は、単語情報、その意味情報や、次候補、前候補などが表示可能に表示される。なお、図示したように、単語情報または意味情報は、[  ]でくくられて、ふりがなと共に表示される。
次カード：次の単語情報または意味情報が表示される。
前カード：前の単語情報または意味情報が表示される。
【００４３】
意味（または単語）：現在表示されている単語情報の意味情報またはその逆が表示される。
状態変更：単語情報の暗記状態が変更される。すなわち、ここを押すことにより取得済みとして次回表示させるときスキップされて非表示となる。
画像表示：単語情報または意味に関連した画像画面が画像のサイズと共に表示される。なお、画像が無い場合は表示されない。
【００４４】
Ｍｙ単語：Ｍｙ単語を押すことにより、現在表示されている単語情報に対応づけたフラグが受講者毎に暗記学習サーバーに登録される。
ＴＯＰへ：単語帳ＴＯＰ画面へ戻る。
終了：単語帳が終了する。
【００４５】
単語情報と意味情報とを同時に表示させた状態、すなわち辞書画面は図１３に示すように、基本的には上記した順引き、逆引きと同じであるが、単語情報の上段に該当する「科目」が表示される。
【００４６】
画像画面は、図１４に示すように、上記の順引き、逆引き、辞書画面において、画像表示を押すことにより、[  ]でくくられた単語情報と共に表示される。なお、この画像サイズは、縦：９６＊横：１２８で１０Ｋｂ以下が望ましい。
戻る：用語/意味画面、辞書画面へ戻る。
【００４７】
Ｍｙ単語入力画面は、図１５に示すように、上記の順引き、逆引き、辞書画面において、Ｍｙ単語を押すことにより表示され。ＯＫを押すことによりＭｙ単語として登録され、前の画面に戻る。
戻る：Ｍｙ単語登録を中止するとき、この「戻る」を押すことにより、用語／意味画面、辞書画面へ戻る。
【００４８】
以上、本実施の形態にかかる暗記学習支援システムを説明したが、上記した、受講者確認手段と、講座情報送信手段と、単語表示手段と、習得済み記録手段と、習得済み非表示手段と、記録手段と、データ更新入力手段とをサーバーに機能させるための制御プログラムでも良い。
また、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００４９】
【図１】本実施の形態にかかる暗記学習支援システムのシステム概略図である。
【図２】携帯端末に表示されるパスワード入力画面である。
【図３】携帯端末に表示されるエラー画面である。
【図４】携帯端末に表示される単語帳ＴＯＰ画面である。
【図５】携帯端末に表示される設定メニュー画面である。
【図６】携帯端末に表示されるパスワード変更画面である。
【図７】携帯端末に表示される単語帳設定画面その１である。
【図８】携帯端末に表示される単語帳設定画面その２である。
【図９】携帯端末に表示される学習進捗確認画面その１である。
【図１０】携帯端末に表示される学習進捗確認画面その２である。
【図１１】携帯端末に表示される用語／意味画面（順引き）である。
【図１２】携帯端末に表示される用語／意味画面（逆引き）である。
【図１３】携帯端末に表示される辞書画面である。
【図１４】携帯端末に表示される画像画面である。
【図１５】携帯端末に表示されるＭｙ単語入力画面である。
【符号の説明】
【００５０】
１  携帯端末
２  受講者管理システム
３  暗記学習サーバー
４  通信網
【図１】
2005148167.tif 000003
【図２】
2005148167.tif 000004
【図３】
2005148167.tif 000005
【図４】
2005148167.tif 000006
【図５】
2005148167.tif 000007
【図６】
2005148167.tif 000008
【図７】
2005148167.tif 000009
【図８】
2005148167.tif 000010
【図９】
2005148167.tif 000011
【図１０】
2005148167.tif 000012
【図１１】
2005148167.tif 000013
【図１２】
2005148167.tif 000014
【図１３】
2005148167.tif 000015
【図１４】
2005148167.tif 000016
【図１５】
2005148167.tif 000017